(57)【要約】【課題】扱室の上方を覆って閉塞位置から開放位置に亘って回動自在に支持されるカバー体において、その開放姿勢状態を保持するために設けられる姿勢保持手段の構成部品の外観を向上させる。【解決手段】カバー体７の下方で、且つカバー体７回動基端近傍の扱室１０前後側板１２ａ，１２ｂ間で、当該カバー体７に設けた係止部材２０と、該係止部材２０を係止する扱室固定枠体２１に設けた係合部材２２とによって、当該カバー体７を開放位置にて保持する開放姿勢保持手段１７を構成した。【選択図】      図２
2004337056.tif 000002
【特許請求の範囲】
【請求項１】
扱室（１０）の上方を覆うカバー体（７）を、閉塞位置及び開放位置に亘って扱胴（８）の回転軸と平行な軸心周りに回動自在に支持した脱穀装置（６）において、前記カバー体（７）より下方で、且つカバー体（７）回動基端近傍の扱室（１０）前後側板（１２ａ，１２ｂ）間に、当該カバー体（７）を開放位置にて保持する開放姿勢保持手段（１７）を設けたことを特徴とする脱穀装置における扱室の開閉機構。
【請求項２】
カバー体（７）に設けた係止部材（２０）と、該係止部材（２０）を係止する扱室固定枠体（２１）に設けた係合部材（２２）により、カバー体（７）を開放位置にて保持する開放姿勢保持手段（１７）を構成すると共に、前記係止部材（２０）に連結する連繋具（１８）を扱室（１０）の後方に配設し、更に前記連繋具（１８）に機体外方側で連結する操作具（１９）を設け、該操作具（１９）の操作によって開放姿勢保持手段（１７）による保持を解除できるように構成したことを特徴とする請求項１記載の脱穀装置における扱室の開閉機構。
【発明の詳細な説明】
【０００１】
【発明の属する技術分野】
本発明は、米麦等の穀稈を脱穀する扱胴を備えた脱穀装置における扱室の開閉機構に関する。
【０００２】
【従来の技術】
従来、コンバイン等に装備されている脱穀装置は、穀桿を脱穀する扱胴を備えており、この扱胴上部はシリンダカバーによって覆われると共に、該シリンダカバーは保守点検等を考慮して、扱胴軸心に沿う回動支点を中心として上下開閉できるようになっている。
また、前記扱胴の回動軸をシリンダカバーの側面にて回転自在に支持することにより、シリンダカバーの開閉動作と連動して扱胴が機体フレームから外部に露出したり、或いは内部に収納されたりする構成として、扱胴を含む各部の保守点検を容易に行なえるようにしたものが知られている（例えば、特許文献１参照。）。
【０００３】
【特許文献１】
特開平９−２３８５５５号公報（第４−５頁、図２−図３）
【０００４】
【発明が解決しようとする課題】
しかしながら、上述した従来のものでは、シリンダカバーを開放姿勢状態に保持するためのストッパ手段を構成するストッパアームや、該ストッパアームによるシリンダカバーの開放姿勢状態を解除するロック解除ロッド等は、当該シリンダカバーを構成する上部カバー体よりも上方に突設されており、外観上好ましいものではなかった。
【０００５】
【課題を解決するための手段】
本発明は、上記課題を解決することを目的として創案したものであって、扱室の上方を覆うカバー体を、閉塞位置及び開放位置に亘って扱胴の回転軸と平行な軸心周りに回動自在に支持した脱穀装置において、前記カバー体より下方で、且つカバー体回動基端近傍の扱室前後側板間に、当該カバー体を開放位置にて保持する開放姿勢保持手段を設けたことを第１の特徴としている。
【０００６】
そして、カバー体に設けた係止部材と、該係止部材を係止する扱室固定枠体に設けた係合部材により、カバー体を開放位置にて保持する開放姿勢保持手段を構成すると共に、前記係止部材に連結する連繋具を扱室の後方に配設し、更に前記連繋具に機体外方側で連結する操作具を設け、該操作具の操作によって開放姿勢保持手段による保持を解除できるように構成したことを第２の特徴としている。
【０００７】
【発明の実施の形態】
以下、本発明の一実施形態を添付図面に基づいて詳細に説明する。
【０００８】
図１は、本発明が適用されたコンバインの側面図であって、同図においてコンバイン１は、機体フレーム２の上部に運転席３を有すると共に、機体フレーム２を支持する左右一対のクローラ走行装置４と、機体フレーム２の前方で穀稈を刈り取る昇降自在な刈取装置５と、この刈取装置５で刈り取った穀稈を脱穀する脱穀装置６を備えている。
【０００９】
前記脱穀装置６は、図２（背面図）及び図３（平面図）に示すように、上方をカバー体７にて覆われて穀桿を脱穀する扱胴８を有しており、該扱胴８の外周には扱歯９が配設されると共に、その下方に受網（不図示）が配設された扱室１０を構成している。
【００１０】
そして、カバー体７は、扱室１０の上方を覆うと共に扱胴８の回転軸８ａと平行な軸心１１周りに回動自在に支持されており、それによりカバー体７を閉塞位置から開放位置に亘って開閉することができる。
また、前記扱胴８の回転軸８ａは、カバー体７と一体構成された扱室１０の前側板１２ａと後側板１２ｂに軸支されており、当該カバー体７の開閉動作に伴って扱胴８はカバー体７と一体に回動する。
更に、前記カバー体７を開閉する際の操作荷重を軽減するために、軸心１１下方の後側板１２ｂと機体フレーム２の間にガススプリング１３を設けている。
【００１１】
また、１４，１４はカバー７体の開閉（ロック）レバーであり、該開閉レバー１４，１４を上動操作することにより扱室１０内と排藁搬送装置１５の下方を開放し、当該扱室１０及び排藁搬送装置１５の保守・点検作業の容易化を図っている。
【００１２】
更に詳しくは、上述したカバー体７と一体構成の前側板１２ａと後側板１２ｂの回動支点側（機体内方側）には回動アーム１６，１６が固着されており、該回動アーム１６，１６によってカバー体７は平行な軸心１１周りに回動自在に支持されている。
そして、扱室１０後方の後側板１２ｂ側には、カバー体７を開放位置（図２に示す二点鎖線位置）にて保持する開放姿勢保持手段１７を設けている。
【００１３】
前記開放姿勢保持手段１７を構成する各部品は、何れもカバー体７の下方で、且つ扱室１０の外にあるカバー体７回動基端近傍の扱室１０前後側板１２ａ，１２ｂ間、即ち扱室１０の外の機体内方側空間部Ｓに配設されている。
更に詳しくは、図２〜図４に示すように、カバー体７の後側板１２ｂに固着した回動アーム１６の略中間部に突設したピン２３と、このピン２３を支軸として回動自在に支承した係止部材である略くの字形状のアーム２０と、該アーム２０が係止される扱室固定枠体２１側に設けた係合部材であるピン２２等の簡単で安価に構成される部品によって、当該開放姿勢保持手段１７を構成している。
【００１４】
そして、前記アーム２０には、扱室１０の後方を通過して機体外方側から機体内方側に至る連繋具であるロッド１８を連結すると共に、該ロッド１８に機体外方側で連結する操作具であるレバー１９を設け、該レバー１９の操作によって開放姿勢保持手段１７によるカバー体７の開放位置における保持を解除できるように構成してある。
【００１５】
また、上述したアーム２０の下端部には、半円弧状の切り欠き形状を有する係止部２０ａを形成すると共に、該係止部２０ａは捩じりスプリング２４によって下方回動する方向に付勢されており、それによって扱室固定枠体２１側に設けた係止部材であるピン２２と、当該アーム２０下面の円弧状辺２０ｂとが常時摺接した状態でカバー体７自体が上方に回動（開放）されるようになっている。
【００１６】
即ち、図２において二点鎖線で示すように、カバー体７が上方へ回動されて開放位置に至ると、前記アーム２０下端の半円弧状に切り欠かれた係止部２０ａが扱室固定枠体２１側に設けたピン２２に係止し、それにより当該カバー体７が開放位置にて保持される。
【００１７】
そして、前記レバー１９は、フィードチェン２４に対置して設けられている挟扼レール２５のベースフレームに回動自在に支持されており、上述の如く開放位置にて保持されたカバー体７を閉塞位置まで戻すには、先ず開放位置で保持された状態のカバー体７を軽く持ち上げながら、当該レバー１９を図４に示す矢印方向に回動させる。するとロッド１８を介してアーム２０は上方に回動し、それに伴ってアーム２０下端の半円弧状に切り欠かれ係止部２０ａが扱室固定枠体２１側に設けたピン２２から外れ、当該カバー体７の開放位置における保持は解除される。
しかる後に、前記ガススプリング１３に抗しながら徐々にカバー体７を下方回動させて閉塞位置に至ると、前記開閉（ロック）レバー１４，１４に連繋するロック機構２５によって、当該カバー体７の閉塞位置における保持がなされるように構成してある。
【００１８】
尚、上述したレバー１９は、カバー体７が開放位置にて保持された状態において、機体外方側に出現するようになっていることから操作が容易に行なえる。
また、図４に示す符号２６，２７は、扱室１０の外壁及び出口側板１２ｂに取りつけられているガイド部材であり、このガイド部材２６，２７によって前記ロッド１８の作動を融通支持している。
【００１９】
本発明は上述したように、開放姿勢保持手段１７を構成する各部品が、何れもカバー体７の下方、即ち扱室１０外の機体内方側の空間部Ｓに配設されており、当該カバー体７から突出する部品がないので外観がよくなる。
【００２０】
尚、上述した実施形態では、カバー体７の開閉動作に伴って扱胴８が一緒に回動する構成のものについて説明したが、常時扱胴８が扱室１０内に留まってカバー体７のみが開閉動作される形態のものにおいても本発明を適用することができる。
【００２１】
【発明の効果】
以上説明したように本発明は、扱室１０の上方を覆うカバー体７を、閉塞位置及び開放位置に亘って扱胴８の回転軸と平行な軸心周りに回動自在に支持した脱穀装置６において、前記カバー体７より下方で、且つカバー体７回動基端近傍の扱室１０前後側板１２ａ，１２ｂ間に、当該カバー体７を開放位置にて保持する開放姿勢保持手段１７を設けたことによって、開放姿勢保持手段１７を構成する各部品が何れもカバー体７の下方に配設されていて、当該カバー体７から突出する部品がないので外観がよくなる。
【００２２】
また、カバー体７に設けた係止部材２０と、該係止部材２０を係止する扱室固定枠体２１に設けた係合部材２２により、カバー体７を開放位置にて保持する開放姿勢保持手段１７を構成すると共に、前記係止部材２０に連結する連繋具１８を扱室１０の後方に配設し、更に前記連繋具１８に機体外方側で連結する操作具１９を設け、該操作具１９の操作によって開放姿勢保持手段１７による保持を解除できるように構成したので、当該開放姿勢保持手段１７を簡単で安価に構成することができると共に、前記レバー１９は、カバー体７が開放位置にて保持された状態で機体外方側に出現するので操作が容易に行なえる。
【図面の簡単な説明】
【図１】コンバインの側面図。
【図２】脱穀装置の背面図。
【図３】同上平面図。
【図４】開放姿勢保持手段の構成を示す斜視図。
【符号の説明】
６      脱穀装置
７      カバー体
８      扱胴
１０    扱室
１２ａ  前側板
１２ｂ  後側板
１７      開放姿勢保持手段
１８      連繋具
１９      操作具
２０      係止部材（アーム）
２１      扱室固定枠体
２２      係合部材（ピン）
【図１】
2004337056.tif 000003
【図２】
2004337056.tif 000004
【図３】
2004337056.tif 000005
【図４】
2004337056.tif 000006